(57)【要約】【課題】クッションドラムの入れ替え作業を省略でき、複数のクッションドラムの結束と同時に色の褪せたクッションドラム表面の模様を鮮やかな色の模様に蘇らせる部材を提供する。【解決手段】表面に交通標識となる模様や誘導のための文字が付された帯状のシート１と、帯状のシート１の上部及び下部に設けられ、クッションドラム１０の上下に設けられた周回溝１１内にそれぞれ入り込んで、複数個のクッションドラム１０を結束するためのバックル３付きのステンレスベルト２とを有するクッションドラムカバーシート。帯状のシート１に付された模様や文字は、光反射性を有する。例えば３個のクッションドラム１０を集合させて結束することにより、３個のクッションドラム１０が一体化するとともに、胴部表面に巻き付いている帯状のシート１に付された交通標識となる模様や誘導のための文字が見やすく表れる。【選択図】図６
0003151319.tif 000002
【実用新案登録請求の範囲】
【請求項１】
表面に交通標識となる模様や誘導のための文字が付された帯状のシートと、
前記帯状のシートの上部及び下部に設けられ、クッションドラムの上下に設けられた周回溝内にそれぞれ入り込んで、複数個のクッションドラムを結束するための結束部材と
を有するクッションドラムカバーシート。
【請求項２】
前記帯状のシートに付された模様や文字は、光反射性を有する請求項１記載のクッションドラムカバーシート。
【請求項３】
前記結束部材は、留め具付きのベルトである請求項１または２に記載のクッションドラムカバーシート。
【請求項４】
前記結束部材は、ロープである請求項１または２に記載のクッションドラムカバーシート。
【考案の詳細な説明】
【技術分野】
【０００１】
本考案は、高速道路の分岐点や道路工事現場などの路面に設置され、車両が衝突した際の衝撃を吸収緩和するクッションドラムを複数個結束するとともに、車両の誘導のための標識の機能を果たすクッションドラムカバーシートに関する。
【背景技術】
【０００２】
クッションドラムは、特許文献１や特許文献２に示すように有底筒形に形成されたプラスチック製のドラム本体と、ドラム本体の上部の開口を閉塞するキャップとからなり、ドラム本体の内部には水袋を入れて風などで吹き飛ばされない重量とし、ドラム本体の胴部の表面には光反射性を有する例えば市松模様や斜め縞模様の赤白の塗装を施すか、シートが貼られている。このクッションドラムは、遠方からの視認性を高めるため、図９に示されるように、複数個（通常、３個）のクッションドラム１０を、ロープ１２で結束して使用している。このクッションドラム１０には、上下に固定用のロープ１２を巻き付けるための周回溝１１が設けられている。
【先行技術文献】
【特許文献】
【０００３】
【特許文献１】実公昭５８−３８０１０号公報
【特許文献２】特開２００２−２９４６４４号公報
【考案の概要】
【考案が解決しようとする課題】
【０００４】
上記従来のクッションドラムは、日中の日差しによる紫外線照射や経年劣化により、表面の模様の赤の色が白けて来るため、それを放置していると模様が見えにくくなり標識としての機能を果たさなくなる。そこで、塗装し直したりシートを貼り替えたものと入れ替えたりする作業を行う必要がある。しかし、１つのインターチェンジで３箇所程度もしくはそれ以上の分岐点や誘導箇所があり、各箇所に３個以上のクッションドラムが設置されるため、それらを入れ替える作業もコストも、高速道路全体では多大なものになる。
そこで本考案は、クッションドラムの入れ替え作業を省略でき、複数のクッションドラムの結束と同時に色の褪せたクッションドラム表面の模様を鮮やかな色の模様に蘇らせることのできる物を提供することを目的とする。
【課題を解決するための手段】
【０００５】
前記課題を解決するため、本考案は、表面に交通標識となる模様や誘導のための文字が付された帯状のシートと、前記帯状のシートの上部及び下部に設けられ、クッションドラムの上下に設けられた周回溝内にそれぞれ入り込んで、複数個のクッションドラムを結束するための結束部材とを有するクッションドラムカバーシートである。
【０００６】
本考案においては、複数個、通常は３個のクッションドラムを集合させ、帯状のシートを胴部全体に巻き付け、帯状のシートの上下に設けられた結束部材がクッションドラムの周回溝内に入る状態にして結束部材の両端部を結束することにより、複数個のクッションドラムが一体化するとともに、胴部表面に巻き付いている帯状のシートに付された交通標識となる模様や誘導のための文字が見やすく表れる。
このように本考案のクッションドラムカバーシートを用いることにより、中のクッションドラムの胴部に施されている模様や文字が劣化して見にくくなっていても、それを覆うように巻き付けられる帯状のシートに付された鮮やかな模様や文字が表れることになる。クッションドラム自体は古くなってもそのまま使用できるために、入れ替えの手間やコストが著しく低減する。
【０００７】
前記帯状のシートに付された模様や文字を、光反射性を有するものとすることにより、夕方や夜、明け方など、暗いときでもライトにより模様や文字が浮き出て目立つので、視認性が良くなる。
【０００８】
結束部材は、留め具付きのベルトとすることができ、あるいは単純にロープとすることもできる。
【考案の効果】
【０００９】
本考案によれば、表面に交通標識となる模様や誘導のための文字が付された帯状のシートと、前記帯状のシートの上部及び下部に設けられ、クッションドラムの上下に設けられた周回溝内にそれぞれ入り込んで、複数個のクッションドラムを結束するための結束部材とを有するクッションドラムカバーシートを用いることにより、クッションドラムの入れ替え作業を省略でき、複数のクッションドラムの結束と同時に色の褪せたクッションドラム表面の模様を鮮やかな色の模様に蘇らせることができる。
【図面の簡単な説明】
【００１０】
【図１】本考案の実施の形態１に係るクッションドラムカバーシートを示す正面図である。
【図２】本考案の実施の形態１におけるバックル付きのステンレスベルトを示すもので、（ａ）は平面図、（ｂ）は背面図である。
【図３】本考案の実施の形態２に係るクッションドラムカバーシートを示すもので、（ａ）は表面図、（ｂ）は裏面図である。
【図４】本考案の実施の形態３に係るクッションドラムカバーシートを示す表面図である。
【図５】本考案の実施の形態４に係るクッションドラムカバーシートを示す表面図である。
【図６】本考案の実施の形態１に係るクッションドラムカバーシートの使用状態を示すものであり、（ａ）は正面側斜視図、（ｂ）は背面側斜視図である。
【図７】本考案の実施の形態３に係るクッションドラムカバーシートの使用状態を示す説明図である。
【図８】本考案の実施の形態４に係るクッションドラムカバーシートの使用状態を示す説明図である。
【図９】従来のクッションドラムの使用状態を示す正面側斜視図である。
【考案を実施するための形態】
【００１１】
以下、本考案の実施の形態を、図面を用いて説明する。
＜実施の形態１＞
図１は本考案の実施の形態１に係るクッションドラムカバーシートを示すものであり、表面の模様は省略しているが、表面に交通標識となる模様や誘導のための文字が付される帯状のシート１と、シート１の上下に輪を形成してその中に通したバックル３付きのステンレスベルト２とを有している。ステンレスベルト２は、図２に拡大して示すように、一端に留め具としてのバックル３を有しており、ステンレスベルト２の先端をバックル３に通すことにより、結束できる構成となっている。シートの材質は、耐水性、耐候性を有するシート材、例えばターポリン（ポリエステル繊維の織物を軟質な合成樹脂フィルムで挟んだビニール系素材）を用いることができる。
【００１２】
＜実施の形態２＞
図３は本考案の実施の形態２に係るクッションドラムカバーシートを示すものであり、（ａ）の表面図、（ｂ）の裏面図に示すように、表面に紅白の縞状の模様を印刷した帯状のシート１と、シート１の上下に輪を形成してその中に通したロープ４とを有している。シートの材質は本例ではターポリンであり、ロープ２の材質は耐水性、耐候性を有するナイロン、ビニロン、ポリエチレン等を使用できるが、その他の材質でもいい。紅白の模様の塗料は、耐候性があり光反射性のものを使用する。
帯状のシート１の長さは、少なくとも３個のクッションドラムの正面と両側面を覆う長さとし、高さは、クッションドラムの上下のロープ用周回溝にロープ４が入る程度とする。本実施の形態２においては、複数のクッションドラムにシート１を巻き付けた後、ロープ４の両端を結んで縛ることによりクッションドラムを結束する。
【００１３】
図４は本考案の実施の形態３に係るクッションドラムカバーシートを示す表面図である。この実施の形態３では、小型車と大型車の分岐部に使用する例を示している。このときの帯状のシート１の模様は緑と白で表示することができる。
【００１４】
図５は本考案の実施の形態４に係るクッションドラムカバーシートを示す表面図である。この実施の形態４では、本線と分岐線の境界を表示する標識の例を示している。このときの帯状のシート１の模様も、緑と白で表示することができる。
【００１５】
次に、各実施の形態の使用状態について説明する。
図６は実施の形態１の使用状態を示すものであり、３個のクッションドラム１０の胴部の周囲に帯状のシート１を巻き付け、クッションドラム１０の上下の周回溝１１にステンレスベルト２が入り込むように結びつけ、後部でバックル３により結束する。このようにすることで、クッションドラム１０の本体の胴部表面の模様が経年変化で褪せて見にくくなっていても、鮮やかな色で標識としての機能を蘇らせることができる。
【００１６】
図７は実施の形態３の使用状態を示すものであり、パーキングエリアやサービスエリアにおける大型車両と小型車両の駐車位置を表示することができる。
【００１７】
図８は実施の形態４の使用状態を示すものであり、高速路線バスの停留所が次のインターチェンジの手前にあるときに、間違って分岐しないように誘導する標識として使用している。
【００１８】
このように、特に高速道路におけるクッションドラムの入れ替え作業を省略でき、複数のクッションドラムの結束と同時に色の褪せたクッションドラム表面の模様を鮮やかな色の模様に蘇らせることができる。
このクッションドラムカバーシートの模様や文字が経年変化で褪色しても、新しいものと簡単に交換できるため、手間やコストが節減できる。
【産業上の利用可能性】
【００１９】
本考案は、高速道路、一般道路における交通標識や誘導標識として好適に利用することができる。
【符号の説明】
【００２０】
１  帯状のシート
２  ステンレスベルト
３  バックル
４  ロープ
１０  クッションドラム
１１  周回溝
【図１】
0003151319.tif 000003
【図２】
0003151319.tif 000004
【図３】
0003151319.tif 000005
【図４】
0003151319.tif 000006
【図５】
0003151319.tif 000007
【図６】
0003151319.tif 000008
【図７】
0003151319.tif 000009
【図８】
0003151319.tif 000010
【図９】
0003151319.tif 000011